(57)【要約】      （修正有）【課題】正面から鑑賞しても側方から鑑賞しても審美性に優れる飾り兜を提供する。【解決手段】鉢１の外周面における縁近傍には、鍬形６が挿入されるスリット５ａが形成された鍬形台５が固定されている。この鍬形台５の上面中央には、前立７の背面に取り付けられたクリップ状の取付金具８が着脱自在に装着される取付座が一体形成されている。また、鉢１の外周面における頂部近傍の後頭部には、頭立１０の下面に取り付けられたステー１１の先端が挿入される角筒部が先端に形成されたホルダ９が固定されている。【選択図】図２
0003196686.tif 000002
【実用新案登録請求の範囲】
【請求項１】
半球状の鉢と、
前記鉢の外表面における縁近傍に固定され、鍬形が装着される鍬形台と、
前記鍬形台の上方に前立を配置するための前立固定部と、
前記鉢の頂部上方に頭立を配置するための頭立固定部と
を備えたことを特徴とする飾り兜。
【考案の詳細な説明】
【技術分野】
【０００１】
本考案は、歴史上の武具としての兜をモチーフとして室内の装飾用に作成される飾り兜に関する。
【背景技術】
【０００２】
飾り兜は、星兜，筋兜，南蛮兜等，歴史上に存在した兜の様式を基本として、各種立物や鍬形，しころ，吹き返し等のデザインにつき、作成者の個性を発揮したり、歴史上に存在したものを忠実に再現したりすることによって、作成される。これらの装飾のうち、立物については、歴史上、鍬形に代えて若しくは鍬形の間に取り付けられる前立，鉢の頂部に取り付けられる頭立，鉢の後頭部に取り付けられる後立，鉢の両側頭部から突出するように取り付けられる脇立が、知られている。
【先行技術文献】
【特許文献】
【０００３】
【特許文献１】特開２００１−２８６６８４
【考案の概要】
【考案が解決しようとする課題】
【０００４】
飾り兜は、通常、屏風を背景として両脇に太刀と弓矢が飾られた状態で正面から鑑賞されるものであるために、飾り兜に採用される立物としては、前立が一般的である。しかしながら、前立は、正面から鑑賞されるものであり、また、前後方向における形状及び重量のバランスを保持する必要があるために、平面的に構成されるか、立体的に構成される場合であっても小型に構成されざるを得なかった。そのため、正面以外の方向から鑑賞された場合に見栄えが悪いという問題があった。
【０００５】
また、頭立を採用した飾り兜については若干例が存在するものの、鍬形を取り付けるための鍬形台と左右の鍬形に囲まれた空間には装飾がないので、正面から鑑賞する者には鉢の表面が見えるだけであって、審美性に劣る。
【０００６】
以上に鑑み、本考案の課題は、正面から鑑賞しても側方から鑑賞しても審美性に優れる飾り兜の構成を提案することである。
【課題を解決するための手段】
【０００７】
本考案による飾り兜は、上記課題を解決するために、半球状の鉢と、前記鉢の外表面における縁近傍に固定され、鍬形が装着される鍬形台と、前記鍬形台の上方に前立を配置するための前立固定部と、前記鉢の頂部上方に頭立を配置するための頭立固定部とを備えたことを、特徴とする。
【０００８】
鍬形は、鍬形台に対して一体的に装着されていても良いし、着脱自在に装着されていても良い。また、前立固定部は、鉢自体に固定されていても良いし、鍬形台に固定されていても良い。また、前立固定部は、前立を固定的に配置するものであっても良いし、着脱自在に配置するものであっても良い。同様に、頭立固定部は、頭立を固定的に配置するものであっても良いし、着脱自在に配置するものであっても良い。
【０００９】
鉢は、星兜であってもよいし筋兜であっても良いし、南蛮兜であっても良いし、変わり兜であっても良い。
【００１０】
また、本考案における前立とは、鍬形を含まない概念である。したがって、頭立及鍬形を備えるが、鍬形とは区別される前立を備えない飾り兜は、本考案の技術的範囲からは除外される。
【考案の効果】
【００１１】
以上のように構成された本考案による飾り兜によると、頭立と前立が同時に装着可能になるところ、頭立については、鉢の頂部に装着されるものであるから、前後方向にボリュームを持たせた立体的な形状に構成したとしても前後方向におけるバランスを崩すことがないので、側方から鑑賞された場合の審美性を高めることができる。また、鍬形台の上方に前立が装着されるので、正面から鑑賞された場合にも鉢の表面が剥き出しにならず、審美性が高まる。
【図面の簡単な説明】
【００１２】
【図１】実施例にかかる飾り兜の正面図
【図２】飾り兜の側面図
【図３】前立の装着構造を示す拡大分解図
【図４】頭立の装着構造を示す拡大分解図
【考案を実施するための形態】
【００１３】
以下、図面に基づいて、本考案による飾り兜の実施例を説明する。
【００１４】
図１に本考案による飾り兜の実施例の正面図と示し、図２に側面図を示す。これらの図面に示されるように、本考案による飾り兜は、飾り兜の一般的構成として、筋兜の表面形状を再現した半球状の鉢１の縁における正面に相当する部分に、眉庇２が取り付けられ、それ以外の部分に、しころ３が取り付けられている。また、眉庇２の左右には、吹き返し４が取り付けられ、眉庇２の上部に鍬形台５が取り付けられている。
【００１５】
この鍬形台５は、正面から見て上方に開いた略半円環板状の形状を有しており、図示せぬ鋲などにより、鉢１に対して固定されている。なお、鍬形台５の正面形状は、略Ｕ字状でもよいし、凹字状でもよい。また、鍬形台５の正面に装飾模様が彫刻又は描画されていてもよい。
【００１６】
図３に示すように、鍬形台５の左右両端の断面形状は、兜の前後方向に扁平な矩形であり、兜の左右方向を長軸方向とするスリット５ａが開口している。これら左右のスリット５ａには、それぞれ、板状の鍬形６の基端が挿入されて固定されることにより、着脱自在に装着される。さらに、鍬形台５の中央内面には、平面形状がコ字状の前立固定部としての取付座５ｂが、上方に突出するように一体成型されている。
【００１７】
鍬形台５上に固定されるべき前立７は、板状，より詳しくは円盤状の形状を有しており、その裏面には、短冊状の金属板を塑性変形によりクリップ状に折り曲げてなる取付金具８が、図示せぬ鋲により、開口を下方に向けて固定されている。この取付金具８によって取付座５ｂを挟み込むことにより、前立７は、鍬形台５上に着脱自在に固定され、そのとき、前立７は、鍬形台５の内部空間と重なるように配置される。
【００１８】
一方、鉢１の後部における頂部近傍には、図４に示すような頭立固定部としてのホルダ９が、その中心軸を鉢１の中心軸における頂部上方に向けて固定されている。このホルダ９は、金属のプレス加工により作成され、その基端において鉢１に対して鋲１２により固定され、その先端において鉢の表面の接平面と平行な扁平な角筒状に形成されている。
【００１９】
鉢１の頂部に固定されるべき頭立１０は、体幹を兜の前後方向に向けた龍の型を立体的に表した彫像であり、その下面には、短冊状の金属板を緩やかにカーブさせたステー１１が、その先端を後方に向けて、図示せぬ鋲により固定されている。このステー１１の先端がホルダ９の先端の角筒９ａに挿入されることにより、頭立１０が鉢１の頂部の上方に着脱自在に配置される。なお、頭立１０のモチーフは、獅子でもよいし、虎でもよい。
【００２０】
以上の構成により、左右の鍬形６及び前立７をそれぞれ鍬形台５に固定するとともに、頭立１０を鉢１に固定した場合には、頭立１０が兜の前後方向にボリュームを持たせた立体的な形状であり、かつ、頭頂部に配置されることから、兜を側方から鑑賞した場合であっても、本実施例の飾り兜は、鑑賞に堪えうる。また、正面から鑑賞した場合であっても、鍬形６を取り付けるための鍬形台５の上方に前立７が装着されるので、鍬形台５と頭立１０との間の空間を通じて鉢１の表面が剥き出しにならず、正面からの審美性が高まる。
【産業上の利用可能性】
【００２１】
本考案は、飾り兜を製造する産業で利用される。  
【符号の説明】
【００２２】
１    鉢
５    鍬形台
６    鍬形
７    前立
８    取付金具
９    ホルダ
１０    頭立
１１    ステー
【図１】
0003196686.tif 000003
【図２】
0003196686.tif 000004
【図３】
0003196686.tif 000005
【図４】
0003196686.tif 000006